(57)【要約】【課題】電極層間の沿面放電の発生を防止できるバリスタを実現する。【解決手段】酸化亜鉛（ＺｎＯ）を主成分とし、これに微量のＢｉ2Ｏ３等の金属酸化物を添加して構成した円板状の電圧非直線抵抗体12の両面に、Ａｇ等より成る円形状の電極層14を形成すると共に、上記電極層14の外面にハンダ16を介してリード端子18を接続して成り、さらに、円形状の上記電極層14の周縁部14ａを全周に亘って被覆する樹脂等より成る絶縁層20を形成した。【選択図】図２
0003149095.tif 000002
【実用新案登録請求の範囲】
【請求項１】
板状の電圧非直線抵抗体の両面に電極層を形成して成るバリスタにおいて、上記電極層の周縁部を被覆する絶縁層を形成したことを特徴とするバリスタ。
【考案の詳細な説明】
【技術分野】
【０００１】
この考案は、板状の電圧非直線抵抗体の両面に電極層を形成して成るバリスタに係り、特に、電極層間の沿面放電を防止できるバリスタに関する。
【背景技術】
【０００２】
従来、電子機器の電子回路に通じる電源線や通信線等の線間、あるいは線とグランドとの間にサージ吸収素子としてのバリスタを接続し、誘導雷等のサージから電子回路を保護することが行われている。すなわち、線間あるいは線−グランド間に、バリスタの定格以上のサージ電圧が印加される場合には、上記バリスタが導通してサージをバイパスし、もって電子回路を保護する仕組みである。
【０００３】
図３に示すように、バリスタ60は、酸化亜鉛（ＺｎＯ）を主成分とする円板状の電圧非直線抵抗体62の両面に電極層64を形成して成り、さらに、上記電極層64の外面に、ハンダ66を介してリード端子68が接続されているものである。
【０００４】
バリスタ60を構成する電圧非直線抵抗体62は、印加される電圧が上昇するに従って、抵抗が急激に減少する電圧非直線抵抗特性を有しており、バリスタ60に定格を越えるサージが印加されると、抵抗が急激に減少することにより上記電圧非直線抵抗体62が瞬時に導通してサージの吸収を行うのである。
尚、上記構造のバリスタとしては、例えば、特開平３−１３６２０９号が提案されている。
【特許文献１】特開平３−１３６２０９号
【考案の開示】
【考案が解決しようとする課題】
【０００５】
ところで、バリスタ60によるサージ吸収時には、電極層64，64間の電圧非直線抵抗体62表面に沿面放電が発生し、該沿面放電によって電圧非直線抵抗体62の表面が高温となって金属化する、いわゆる還元現象が生ずるおそれがあった。
そして、電圧非直線抵抗体62の表面が金属化することで、電圧非直線係数及び制限電圧が変動してサージ吸収特性が不安定となり、ついには電極層64，64間が短絡するという危険性がある。
【０００６】
この考案は、従来の上記問題に鑑みてなされたものであり、その目的とするところは、電極層間の沿面放電の発生を防止できるバリスタを実現することにある。
【課題を解決するための手段】
【０００７】
上記目的を達成するため、本考案に係るバリスタは、板状の電圧非直線抵抗体の両面に電極層を形成して成るバリスタにおいて、上記電極層の周縁部を被覆する絶縁層を形成したことを特徴とする。
【考案の効果】
【０００８】
本考案のバリスタにあっては、板状の電圧非直線抵抗体の両面に形成した電極層の周縁部を絶縁層で被覆することにより、電極層間の沿面距離が延びるため、電極層間における沿面放電の発生を防止できる。
【考案を実施するための最良の形態】
【０００９】
以下、添付図面に基づいて、本考案に係るバリスタを説明する。図１は、本考案に係るバリスタ10を示す正面図、図２は図１のＡ−Ａ拡大断面図である。
本考案のバリスタ10は、酸化亜鉛（ＺｎＯ）を主成分とし、これに微量のＢｉ2Ｏ３等の金属酸化物を添加して構成した円板状の電圧非直線抵抗体12の両面に、Ａｇ等より成る円形状の電極層14を形成して成る。尚、電圧非直線抵抗体12は円板状に限らず、矩形板状のものであっても良い。
【００１０】
上記バリスタ10は、印加される電圧が上昇するに従って、抵抗が急激に減少する電圧非直線抵抗特性を有している。すなわち、バリスタ10を構成する電圧非直線抵抗体12の内部は、抵抗率が１〜１０Ω・ｃｍと小さいＺｎＯ微粒子と、該ＺｎＯ微粒子間に介在し、抵抗率が１０１２〜１０１３Ω・ｃｍと大きいＢｉ２Ｏ３等の金属酸化物との境界層が存在し、バリスタ10の電圧非直線抵抗特性は、上記境界層の非オーム性によって得られるものである。
【００１１】
また、上記電極層14の外面には、ハンダ16を介してリード端子18が接続されている。
さらに、円形状の上記電極層14の周縁部14ａを全周に亘って被覆する樹脂等より成る絶縁層20が形成されている。
上記絶縁層20は、例えば、電圧非直線抵抗体12の両面に電極層14を形成した後、絶縁層20の非形成箇所をマスクした状態で、樹脂液を塗布した後、マスクを除去すれば良い。
【００１２】
而して、上記バリスタ10に定格を越えるサージが印加されると、抵抗が急激に減少することにより上記電圧非直線抵抗体12が瞬時に導通してサージの吸収を行うのである。
【００１３】
本考案の上記バリスタ10において、電圧非直線抵抗体12の両面に形成した電極層14の周縁部14ａを絶縁層20で被覆したのは、電極層14，14間の沿面放電を防止するためである。
すなわち、バリスタ10によるサージ吸収時には、電極層14，14間の電圧非直線抵抗体12表面に沿面放電が発生し、該沿面放電によって電圧非直線抵抗体12の表面が高温となって金属化する、いわゆる還元現象が生ずるおそれがある。そして、電圧非直線抵抗体12の表面が金属化すると、電圧非直線係数及び制限電圧が変動してサージ吸収特性が不安定となり、ついには電極層14，14間が短絡するという危険性がある。
【００１４】
本考案の上記バリスタ10にあっては、電圧非直線抵抗体12の両面に形成した電極層14の周縁部14ａを絶縁層20で被覆することにより、電極層14，14間の沿面距離が延びるため、電極層14，14間における沿面放電の発生を防止できるのである。
【００１５】
図３は、本考案に係る上記バリスタ10をサージ吸収器30に適用した場合を示す斜視図である。
このサージ吸収器30は、ガスアレスタ32と、該ガスアレスタ32の端面電極（図示せず）に接続される２個の本考案に係るバリスタ10と、２個の導電性のバネ部材34と、絶縁基板36を備えている。
上記ガスアレスタ32は、定格を越えるサージが印加されると、所定の放電ガスが封入された気密外囲器38内部の放電間隙において放電が生成されサージの吸収が行われるのである。
【００１６】
上記バネ部材34は、板材を加工して形成されたものであり、下端に設けた基端部34ａ、上端に設けた天板部34ｃ、基端部34ａと天板部34ｃとの間に設けられ、バリスタ10の電極層14とハンダ（図示省略）を介して接続される接続部34ｂを有している。
また、上記基端部34ａと接続部34ｂとの間に、板材を曲げ加工して形成した湾曲部34ｄが形成されている。
上記基端部34ａは、絶縁基板36に形成された孔40に挿通・固定されており、基端部34ａが絶縁基板36に固定された状態においては、バネ部材34の湾曲部34ｄが変形して弾性力を生じることにより、バネ部材34の接続部34ｂが、バリスタ10の電極層14の外面に対して垂直方向に分離する付勢力を有した状態で固定されるようになっている。
【００１７】
而して、上記サージ吸収器30にあっては、バリスタ10の故障時に継続的な過電流がバリスタ10に流れると、バリスタ10の電極層14とバネ部材34の接続部34ｂとを接続している図示しないハンダが溶断し、その結果、付勢力により、バネ部材34の接続部34ｂが、バリスタ10の電極層14から垂直方向に分離する。このため、バリスタ10への給電が遮断され、バリスタ10の発火・焼損を防止することができるようになっているのである。
【図面の簡単な説明】
【００１８】
【図１】本考案に係るバリスタを示す正面図である。
【図２】図１のＡ−Ａ拡大断面図である。
【図３】本考案に係るバリスタをサージ吸収器に適用した場合を示す斜視図である。
【図４】従来のバリスタを示す正面図である。
【符号の説明】
【００１９】
10    バリスタ
12    電圧非直線抵抗体
14    電極層
14ａ 電極層の周縁部
16    ハンダ
18    リード端子
20    絶縁層
30    サージ吸収器
32    ガスアレスタ
34    バネ部材
36    絶縁基板
【図１】
0003149095.tif 000003
【図２】
0003149095.tif 000004
【図３】
0003149095.tif 000005
【図４】
0003149095.tif 000006